【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク内での送信デバイスにおいて実行される再送信の方法であって、
第1の符号化ビットを含む第1のコードブロックを生成するステップと、
第1の送信を生成するために、前記第1のコードブロックの前記第1の符号化ビットを第1のシンボルにマッピングするステップであって、前記第1の符号化ビットの各々が、前記第1のシンボルのうちの1つのそれぞれのビットロケーションにマッピングされる、マッピングするステップと、
ワイヤレスエアインターフェース上で前記第1のシンボルを含む前記第1の送信を受信デバイスに送信するステップと、
前記第1の送信に応答して、否定応答(NACK)を受信するか、または何の応答も受信しないステップと、
第2の符号化ビットを含む第2のコードブロックを生成するステップであって、前記第2の符号化ビットの少なくとも一部分が、前記第1の符号化ビットのそれぞれの符号化ビットに対応する、対応する符号化ビットを含む、生成するステップと、
2つ以上の非ランダムマッピングルールから非ランダムマッピングルールを選択するステップと、
前記選択された非ランダムマッピングルールの指示を前記受信デバイスに送信するステップと、
第2の送信を生成するために、前記第2のコードブロックの前記第2の符号化ビットを第2のシンボルにマッピングするステップであって、前記対応する符号化ビットの少なくとも一部分が、前記選択された非ランダムマッピングルールに基づいて、前記第1のシンボルとは違った前記第2のシンボル内の異なるビットロケーションにマッピングされる、マッピングするステップと、
前記ワイヤレスエアインターフェース上で前記第2のシンボルを含む前記第2の送信を前記受信デバイスに送信するステップと
を含む、方法。
【請求項２】
ワイヤレス通信ネットワーク内での送信デバイスにおいて実行される再送信の方法であって、
複数の非ランダムマッピングルールを、ワイヤレスエアインターフェース上で受信デバイスに送信するステップと、
前記複数の非ランダムマッピングルールの選択された非ランダムマッピングルールを、前記ワイヤレスエアインターフェース上で前記受信デバイスから受信するステップと、
第1の符号化ビットを含む第1のコードブロックを生成するステップと、
第1の送信を生成するために、前記第1のコードブロックの前記第1の符号化ビットを第1のシンボルにマッピングするステップであって、前記第1の符号化ビットの各々が、前記第1のシンボルのうちの1つのそれぞれのビットロケーションにマッピングされる、マッピングするステップと、
前記ワイヤレスエアインターフェース上で前記第1のシンボルを含む前記第1の送信を受信デバイスに送信するステップと、
前記第1の送信に応答して、否定応答(NACK)を受信するか、または何の応答も受信しないステップと、
第2の符号化ビットを含む第2のコードブロックを生成するステップであって、前記第2の符号化ビットの少なくとも一部分が、前記第1の符号化ビットのそれぞれの符号化ビットに対応する、対応する符号化ビットを含む、生成するステップと、
第2の送信を生成するために、前記第2のコードブロックの前記第2の符号化ビットを第2のシンボルにマッピングするステップであって、前記対応する符号化ビットの少なくとも一部分が、前記選択された非ランダムマッピングルールに基づいて、前記第1のシンボルとは違った前記第2のシンボル内の異なるビットロケーションにマッピングされる、マッピングするステップと、
前記ワイヤレスエアインターフェース上で前記第2のシンボルを含む前記第2の送信を前記受信デバイスに送信するステップと
を含む、方法。
【請求項３】
前記第1のシンボルの所与のシンボルが、最上位ビット(MSB)ロケーションから最下位ビット(LSB)ロケーションへの第1のビット順序で配置された前記第1の符号化ビットの第1のセットを含み、
前記所与のシンボルに対応する前記第2のシンボルの対応するシンボルが、前記MSBロケーションから前記LSBロケーションへの第2のビット順序で配置された前記第2の符号化ビットの第2のセットを含む
請求項1に記載の方法。
【請求項４】
前記第1の符号化ビットの前記第1のセットおよび前記第2の符号化ビットの前記第2のセットが同じであり、
前記第1のビット順序が前記第2のビット順序とは異なる
請求項3に記載の方法。
【請求項５】
前記第2のコードブロックの前記第2の符号化ビットを前記第2のシンボルにマッピングする前記ステップが、
前記所与のシンボル内の前記MSBロケーション内の前記第1の符号化ビットの前記第1のセットの初期符号化ビットを前記対応するシンボル内の前記LSBロケーションにマッピングするステップと、
前記所与のシンボル内の前記LSBロケーション内の前記第1の符号化ビットの前記第1のセットの最終符号化ビットを前記対応するシンボル内の前記MSBロケーションにマッピングするステップと
をさらに含む、または、
前記第2のコードブロックの前記第2の符号化ビットを前記第2のシンボルにマッピングする前記ステップが、
前記第2のビット順序を生成するために前記第1のビット順序を反転するステップ
をさらに含む、あるいは、
前記第2のコードブロックの前記第2の符号化ビットを前記第2のシンボルにマッピングする前記ステップが、
前記第1のビット順序と前記第2のビット順序との間のビットロケーションオフセットに基づいて、前記第2の符号化ビットの前記第2のセットを前記対応するシンボルにマッピングするステップ
をさらに含む、請求項4に記載の方法。
【請求項６】
前記非ランダムマッピングルールを前記受信デバイスに送信するステップ
をさらに含む、請求項1に記載の方法。
【請求項７】
ワイヤレス通信ネットワーク内のワイヤレス通信デバイスであって、
第1の符号化ビットを含む第1のコードブロックを生成するための手段と、
第1の送信を生成するために、前記第1のコードブロックの前記第1の符号化ビットを第1のシンボルにマッピングするための手段であって、前記第1の符号化ビットの各々が、前記第1のシンボルのうちの1つのそれぞれのビットロケーションにマッピングされる、マッピングするための手段と、
ワイヤレスエアインターフェース上で前記第1のシンボルを含む前記第1の送信を受信デバイスに送信するための手段と、
前記第1の送信に応答して、否定応答(NACK)を受信するか、または何の応答も受信しないための手段と、
第2の符号化ビットを含む第2のコードブロックを生成するための手段であって、前記第2の符号化ビットの少なくとも一部分が、前記第1の符号化ビットのそれぞれの符号化ビットに対応する、対応する符号化ビットを含む、生成するための手段と、
2つ以上の非ランダムマッピングルールから非ランダムマッピングルールを選択するための手段と、
前記選択された非ランダムマッピングルールの指示を前記受信デバイスに送信するための手段と、
第2の送信を生成するために、前記第2のコードブロックの前記第2の符号化ビットを第2のシンボルにマッピングするための手段であって、前記対応する符号化ビットの少なくとも一部分が、前記選択された非ランダムマッピングルールに基づいて、前記第1のシンボルとは違った前記第2のシンボル内の異なるビットロケーションにマッピングされる、マッピングするための手段と、
前記ワイヤレスエアインターフェース上で前記第2のシンボルを含む前記第2の送信を前記受信デバイスに送信するための手段と
を含む、ワイヤレス通信デバイス。
【請求項８】
ワイヤレス通信ネットワーク内のワイヤレス通信デバイスであって、
複数の非ランダムマッピングルールを、ワイヤレスエアインターフェース上で受信デバイスに送信するための手段と、
前記複数の非ランダムマッピングルールの選択された非ランダムマッピングルールを、前記ワイヤレスエアインターフェース上で前記受信デバイスから受信するための手段と、
第1の符号化ビットを含む第1のコードブロックを生成するための手段と、
第1の送信を生成するために、前記第1のコードブロックの前記第1の符号化ビットを第1のシンボルにマッピングするための手段であって、前記第1の符号化ビットの各々が、前記第1のシンボルのうちの1つのそれぞれのビットロケーションにマッピングされる、マッピングするための手段と、
前記ワイヤレスエアインターフェース上で前記第1のシンボルを含む前記第1の送信を受信デバイスに送信するための手段と、
前記第1の送信に応答して、否定応答(NACK)を受信するか、または何の応答も受信しないための手段と、
第2の符号化ビットを含む第2のコードブロックを生成するための手段であって、前記第2の符号化ビットの少なくとも一部分が、前記第1の符号化ビットのそれぞれの符号化ビットに対応する、対応する符号化ビットを含む、生成するための手段と、
第2の送信を生成するために、前記第2のコードブロックの前記第2の符号化ビットを第2のシンボルにマッピングするための手段であって、前記対応する符号化ビットの少なくとも一部分が、前記選択された非ランダムマッピングルールに基づいて、前記第1のシンボルとは違った前記第2のシンボル内の異なるビットロケーションにマッピングされる、マッピングするための手段と、
前記ワイヤレスエアインターフェース上で前記第2のシンボルを含む前記第2の送信を前記受信デバイスに送信するための手段と
を含む、ワイヤレス通信デバイス。
【請求項９】
ワイヤレス通信ネットワーク内で受信デバイスにおいて実行される復号の方法であって、
送信デバイスからワイヤレスエアインターフェース上で第1のシンボルにマッピングされた第1の符号化ビットを含む第1の送信を受信するステップであって、前記第1の符号化ビットの各々が、前記第1のシンボルのうちの1つのそれぞれのビットロケーションにマッピングされる、受信するステップと、
前記第1の符号化ビットを含む第1のコードブロックを生成するために前記第1の送信をデマッピングするステップと、
前記第1のコードブロックの復号を実行するステップと、
前記第1のコードブロックの復号が失敗した場合、否定応答(NACK)を前記送信デバイスに送信するステップと、
2つ以上の非ランダムマッピングルールから選択された、選択された非ランダムマッピングルールの指示を、前記送信デバイスから受信するステップであって、前記選択された非ランダムマッピングルールが前記受信デバイスに記憶される、受信するステップと、
前記送信デバイスから前記ワイヤレスエアインターフェース上で第2のシンボルにマッピングされた第2の符号化ビットを含む第2の送信を受信するステップであって、前記第2の符号化ビットの少なくとも一部分が、前記第1の符号化ビットのそれぞれの符号化ビットに対応する、対応する符号化ビットを含み、前記対応する符号化ビットの少なくとも一部分が、前記選択された非ランダムマッピングルールに基づいて、前記第1のシンボルとは違った前記第2のシンボル内の異なるビットロケーションにマッピングされる、受信するステップと、
前記第2の符号化ビットを含む第2のコードブロックを生成するために前記第2の送信をデマッピングするステップと、
前記対応する符号化ビットをソフト合成することによって、前記第1のコードブロックおよび前記第2のコードブロックの復号を実行するステップと
を含む、方法。
【請求項１０】
ワイヤレス通信ネットワーク内で受信デバイスにおいて実行される復号の方法であって、
複数の非ランダムマッピングルールを、ワイヤレスエアインターフェース上で送信デバイスから受信するステップと、
前記複数の非ランダムマッピングルールの非ランダムマッピングルールを選択するステップと、
前記複数の非ランダムマッピングルールの前記選択された非ランダムマッピングルールを送信デバイスに送信するステップと、
前記送信デバイスから前記ワイヤレスエアインターフェース上で第1のシンボルにマッピングされた第1の符号化ビットを含む第1の送信を受信するステップであって、前記第1の符号化ビットの各々が、前記第1のシンボルのうちの1つのそれぞれのビットロケーションにマッピングされる、受信するステップと、
前記第1の符号化ビットを含む第1のコードブロックを生成するために前記第1の送信をデマッピングするステップと、
前記第1のコードブロックの復号を実行するステップと、
前記第1のコードブロックの復号が失敗した場合、否定応答(NACK)を前記送信デバイスに送信するステップと、
前記送信デバイスから前記ワイヤレスエアインターフェース上で第2のシンボルにマッピングされた第2の符号化ビットを含む第2の送信を受信するステップであって、前記第2の符号化ビットの少なくとも一部分が、前記第1の符号化ビットのそれぞれの符号化ビットに対応する、対応する符号化ビットを含み、前記対応する符号化ビットの少なくとも一部分が、前記選択された非ランダムマッピングルールに基づいて、前記第1のシンボルとは違った前記第2のシンボル内の異なるビットロケーションにマッピングされる、受信するステップと、
前記第2の符号化ビットを含む第2のコードブロックを生成するために前記第2の送信をデマッピングするステップと、
前記対応する符号化ビットをソフト合成することによって、前記第1のコードブロックおよび前記第2のコードブロックの復号を実行するステップと
を含む、方法。
【請求項１１】
前記第1のシンボルの所与のシンボルが、最上位ビット(MSB)ロケーションから最下位ビット(LSB)ロケーションへの第1のビット順序で配置された前記第1の符号化ビットの第1のセットを含み、
前記所与のシンボルに対応する前記第2のシンボルの対応するシンボルが、前記MSBロケーションから前記LSBロケーションへの第2のビット順序で配置された前記第2の符号化ビットの第2のセットを含む
請求項9に記載の方法。
【請求項１２】
前記第1の符号化ビットの前記第1のセットおよび前記第2の符号化ビットの前記第2のセットが同じであり、
前記第1のビット順序が前記第2のビット順序とは異なり、
前記所与のシンボル内の前記MSBロケーション内の前記第1の符号化ビットの前記第1のセットの初期符号化ビットが前記対応するシンボル内の前記LSBロケーション内に位置し、
前記所与のシンボル内の前記LSBロケーション内の前記第1の符号化ビットの前記第1のセットの最終符号化ビットが前記対応するシンボル内の前記MSBロケーション内に位置する
請求項11に記載の方法。
【請求項１３】
前記第2のビット順序が前記第1のビット順序の反転を含む、または
前記第2の符号化ビットの前記第2のセットが、前記第1のビット順序と前記第2のビット順序との間のビットロケーションオフセットを含む、請求項12に記載の方法。
【請求項１４】
ワイヤレス通信ネットワーク内のワイヤレス通信デバイスであって、
送信デバイスからワイヤレスエアインターフェース上で第1のシンボルにマッピングされた第1の符号化ビットを含む第1の送信を受信するための手段であって、前記第1の符号化ビットの各々が、前記第1のシンボルのうちの1つのそれぞれのビットロケーションにマッピングされる、受信するための手段と、
前記第1の符号化ビットを含む第1のコードブロックを生成するために前記第1の送信をデマッピングするための手段と、
前記第1のコードブロックの復号を実行するための手段と、
前記第1のコードブロックの復号が失敗した場合、否定応答(NACK)を前記送信デバイスに送信するための手段と、
2つ以上の非ランダムマッピングルールから選択された、選択された非ランダムマッピングルールの指示を、前記送信デバイスから受信するための手段であって、前記選択された非ランダムマッピングルールが受信デバイスに記憶される、受信するための手段と、
前記送信デバイスから前記ワイヤレスエアインターフェース上で第2のシンボルにマッピングされた第2の符号化ビットを含む第2の送信を受信するための手段であって、前記第2の符号化ビットの少なくとも一部分が、前記第1の符号化ビットのそれぞれの符号化ビットに対応する、対応する符号化ビットを含み、前記対応する符号化ビットの少なくとも一部分が、非ランダムマッピングルールに基づいて、前記第1のシンボルとは違った前記第2のシンボル内の異なるビットロケーションにマッピングされる、受信するための手段と、
前記第2の符号化ビットを含む第2のコードブロックを生成するために前記第2の送信をデマッピングするための手段と、
前記対応する符号化ビットをソフト合成することによって、前記第1のコードブロックおよび前記第2のコードブロックの復号を実行するための手段と
を含む、ワイヤレス通信デバイス。
【請求項１５】
ワイヤレス通信ネットワーク内のワイヤレス通信デバイスであって、
複数の非ランダムマッピングルールを、ワイヤレスエアインターフェース上で送信デバイスから受信するための手段と
前記複数の非ランダムマッピングルールの非ランダムマッピングルールを選択するための手段と
前記複数の非ランダムマッピングルールの前記選択された非ランダムマッピングルールを送信デバイスに送信するための手段と、
前記送信デバイスから前記ワイヤレスエアインターフェース上で第1のシンボルにマッピングされた第1の符号化ビットを含む第1の送信を受信するための手段であって、前記第1の符号化ビットの各々が、前記第1のシンボルのうちの1つのそれぞれのビットロケーションにマッピングされる、受信するための手段と、
前記第1の符号化ビットを含む第1のコードブロックを生成するために前記第1の送信をデマッピングするための手段と、
前記第1のコードブロックの復号を実行するための手段と、
前記第1のコードブロックの復号が失敗した場合、否定応答(NACK)を前記送信デバイスに送信するための手段と、
前記送信デバイスから前記ワイヤレスエアインターフェース上で第2のシンボルにマッピングされた第2の符号化ビットを含む第2の送信を受信するための手段であって、前記第2の符号化ビットの少なくとも一部分が、前記第1の符号化ビットのそれぞれの符号化ビットに対応する、対応する符号化ビットを含み、前記対応する符号化ビットの少なくとも一部分が、非ランダムマッピングルールに基づいて、前記第1のシンボルとは違った前記第2のシンボル内の異なるビットロケーションにマッピングされる、受信するための手段と、
前記第2の符号化ビットを含む第2のコードブロックを生成するために前記第2の送信をデマッピングするための手段と、
前記対応する符号化ビットをソフト合成することによって、前記第1のコードブロックおよび前記第2のコードブロックの復号を実行するための手段と
を含む、ワイヤレス通信デバイス。